(57)【要約】【課題】分別作業を容易にする。【解決手段】他の機器Ａへの接続時には、カシメパイプ２の工具係合手段４を回転操作することにより、廻り止め手段１ａ，２ａを介してニップル１が回転され、これに伴い締結手段３が回転して他の機器Ａに連結固定され、分別時には、ニップル１とカシメパイプ２のどちらか一方を他方に対して軸線方向へ移動させることにより、カシメ接合したカシメパイプ２及びホースＨの内側からニップル１が抜き取られ、更にこれらカシメパイプ２及びホースＨが分離可能となる。【選択図】　　　図１
2004019863.tif 000002
【特許請求の範囲】
【請求項１】
ホース（Ｈ）の先端内周にニップル（１）を差し込み、該ホース（Ｈ）の先端外周にカシメパイプ（２）を被せてカシメ接合することにより、上記ニップル（１）に連設した他の機器（Ａ）への締結手段（３）とホース（Ｈ）とが一体的に接続されるホースかしめ接続構造において、
前記ニップル（１）の外周面と、それに対向するカシメパイプ（２）の内周端とに亘って互いに回転不能に係合する廻り止め手段（１ａ，２ａ）を軸線方向へ形成して、このニップル（１）の外周面に沿って回転不能なカシメパイプ（２）を軸線方向へ嵌挿させると共に、該ニップル（１）の外周面には、回転によって他の機器（Ａ）に接続される締結手段（３）を回転不能に取り付けるか又は一体形成し、カシメパイプ（２）の外周面には工具と係合する工具係合手段（４）を形成し、これらニップル（１）の外周面とカシメパイプ（２）との間にホース（Ｈ）を挿入してカシメ接合したことを特徴とするホースかしめ接続構造。
【請求項２】
前記締結手段（３）が、他の機器（Ａ）に螺合するネジ部であり、工具係合手段（４）がカシメパイプ（２）の外周面に一体形成したナット部であり、上記ネジ部（３）をニップル（１）の廻り止め手段（１ａ）に軸線方向へ嵌挿して回転不能に係合させると共に、カシメパイプ（２）で軸線方向へ移動不能に挟み込んだ請求項１記載のホースかしめ接続構造。
【発明の詳細な説明】
【０００１】
【発明の属する技術分野】
本発明は、例えば消火器や一般の設備機械などに接続されるホースセット品のような、製造日から定期間が経過する度に交換が必要なホースを他の機器に接合するためのホースかしめ接続構造に関する。
詳しくは、ホースの先端内周にニップルを差し込み、該ホースの先端外周にカシメパイプを被せてカシメ接合することにより、上記ニップルに連設した他の機器への締結手段とホースとが一体的に接続されるホースかしめ接続構造に関する。
【０００２】
【従来の技術】
従来、この種のホースかしめ接続構造として、例えば図７に示す如くニップルＮが金属製の切削加工品であり、その一端にはホース先端部Ｈ１の内周に差し込む竹の子状の挿入部Ｎ１が一体に形成され、他端には締結手段として外ネジ部Ｎ２が一体に形成されると共に、これらの間に工具係合手段としてスパナーなどの工具と係合するナット部Ｎ３が一体に形成され、例えば消火器に接続する場合には、その吐出口に上記外ネジ部Ｎ２を差し込み、スパナーなどの工具によりナット部Ｎ３を締め込んで連結固定するものがある。
また、消火器の容器は、その耐用年数（８年）に達すると、それを業者が回収して再生処理するが、それに接続されるホースセット品のホースは耐久性が低下するために再使用できないと共に、カシメ接合したカシメパイプも形状が復元不能なために再生処理できず廃棄されていた。
ところで近年、法改正により原材料毎に分別回収することが義務付けられるため、ホースセット品についても分別し易い構造にすると共に、機能低下がない部品については再使用する必要性がでてきた。
【０００３】
【発明が解決しようとする課題】
しかし乍ら、このような従来のホースかしめ接続構造では、ニップルに竹の子状の挿入部と締結手段の外ネジ部及び工具係合手段のナット部が一体形成されるため、回収後に分別する際に、カシメ接合したホースからニップルを引き抜こうとしても竹の子状の挿入部がホースの内周面に引っ掛かって引き抜き難く、分別作業に手間がかかるという問題がある。
その結果、従来はホースセット品を分別せずにそのまま産業廃棄物として埋設処理していたが、今後は法改正により手間がかかっても分別しなければならず、その分別コストが高くなってしまう。
更に、ホースからニップルが分別できたとしても、このニップルに一体形成したネジ部はスパナーなどの工具で締め込む際に角部分が潰れ易いため、該ネジ部が変形した場合にはニップル全体が再使用できないという問題がある。
また、例えば消火器の吐出口に刻設される内ネジ部は、そのピッチや形状などのネジ仕様がメーカー毎に異なるのが一般的であり、これらの総てに対応するには、複数種類の異なるネジ仕様に螺合する専用の外ネジ部を刻設したニップルを個別に製造して夫々在庫管理する必要があってコスト高になるという問題がある。
【０００４】
本発明のうち請求項１記載の発明は、分別作業を容易にすることを目的としたものである。
請求項２記載の発明は、請求項１に記載の発明の目的に加えて、再利用可能な部品点数を多くすることを目的としたものである。
【０００５】
【課題を解決するための手段】
前述した目的を達成するために、本発明のうち請求項１記載の発明は、ニップル１の外周面と、それに対向するカシメパイプ２の内周端とに亘って互いに回転不能に係合する廻り止め手段１ａ，２ａを軸線方向へ形成して、このニップル１の外周面に沿って回転不能なカシメパイプ２を軸線方向へ嵌挿させると共に、該ニップル１の外周面には、回転によって他の機器Ａに接続される締結手段３を回転不能に取り付けるか又は一体形成し、カシメパイプ２の外周面には工具と係合する工具係合手段４を形成し、これらニップル１の外周面とカシメパイプ２との間にホースＨを挿入してカシメ接合したことを特徴とするものである。
請求項２記載の発明は、請求項１記載の発明の構成に、前記締結手段３が、他の機器Ａに螺合するネジ部であり、工具係合手段４がカシメパイプ２の外周面に一体形成したナット部であり、上記ネジ部３をニップル１の廻り止め手段１ａに軸線方向へ嵌挿して回転不能に係合させると共に、カシメパイプ２で軸線方向へ移動不能に挟み込んだ構成を加えたことを特徴とする。
【０００６】
【作用】
請求項１の発明は、他の機器Ａへの接続時には、カシメパイプ２の工具係合手段４を回転操作することにより、廻り止め手段１ａ，２ａを介してニップル１が回転され、これに伴い締結手段３が回転して他の機器Ａに連結固定され、分別時には、ニップル１とカシメパイプ２のどちらか一方を他方に対して軸線方向へ移動させることにより、カシメ接合したカシメパイプ２及びホースＨの内側からニップル１が抜き取られ、更にこれらカシメパイプ２及びホースＨが分離可能となるものである。
請求項２の発明は、請求項１記載の構成に対して、前記締結手段３が、他の機器Ａに螺合するネジ部であり、工具係合手段４がカシメパイプ２の外周面に一体形成したナット部であり、上記ネジ部３をニップル１の廻り止め手段１ａに軸線方向へ嵌挿して回転不能に係合させると共に、カシメパイプ２で軸線方向へ移動不能に挟み込んだ構成を追加したので、カシメ接合したカシメパイプ２及びホースＨの内側からニップル１を抜き取ることにより、ニップル１の廻り止め手段１ａからネジ部３が抜き取り可能となって、変形したナット部４及びカシメパイプ２と機能低下したホースＨは再使用不能だが、変形したり機能低下のないニップル１とネジ部３は再使用可能となる。
【０００７】
【発明の実施の形態】
以下、本発明の実施例を図面に基づいて説明する。
この実施例は、図１〜図６に示す如く、他の機器Ａとして消火器の吐出口に、ホースＨの先端部Ｈ１の内周に差し込まれるニップル１と、該ホース先端部Ｈ１の外周に被せられるカシメパイプ２を一体化したホースセット品Ｂが接続される場合を示すものである。
【０００８】
上記ニップル１は、例えばアルミニウムやそれ以外の金属などの剛性材料で筒状に成形され、後述するカシメパイプ２のカシメ加工に伴って変形しない硬さを有しており、その外周面とそれに対向するカシメパイプ２の内周端とに亘って、互いに回転不能に係合する廻り止め手段１ａ，２ａを軸線方向へ連続形成し、このニップル１の外周面に沿って回転不能なカシメパイプ２を軸線方向へ嵌挿させると共に、該ニップル１の外周面の基端には、後述する締結手段３と係合する係止部１ｂを突設する。
【０００９】
本実施例の場合には、ニップル１側の廻り止め手段１ａとして、その周方向へ複数の凸部が等間隔毎に突出するように外周面を断面多角形に形成すると共に、これと嵌合するようにカシメパイプ２側の廻り止め手段２ａが内周端を断面多角形に形成したが、これに限定されず、図示せぬが例えば断面多角形に代えて互いに軸線方向へのみに係合する凹部と凸部を、ニップル１の外周面とカシメパイプ２の内周端とに亘って夫々周方向へ単数又は複数形成しても良い。
【００１０】
図示例では図２に示す如く、ニップル１の外周面とカシメパイプ２の内周端とが廻り止め手段１ａ，２ａとして夫々断面正１２角形に形成された場合を示すと共に、このニップル１の基端を外側へ折り曲げ加工して拡径させることにより、係止部１ｂを全周に亘って一体形成し、またホース先端部Ｈ１の内周へ挿入し易くするために、先端１ｃを内側へ折り曲げ加工して縮径させることが好ましい。
【００１１】
上記カシメパイプ２は、例えば駆動式又は手動油圧式のカシメ機（図示せず）による径方向への加圧では圧縮変形するがホースＨからの反発力では復元変形しない例えばアルミニウムなどの剛性材料で、ホース先端部Ｈ１の少なくとも外周面及び切断面を覆う筒状に形成され、該カシメパイプ２とニップル１の外周面との間にホース先端部Ｈ１を挿入してカシメ接合させる。
【００１２】
本実施例の場合には、カシメパイプ２とニップル１の外周面との間に区画形成される環状空間部２ｂにホース先端部Ｈ１を挿入してから、カシメパイプ２の外周面を駆動式のカシメ機（図示せず）によりカシメて部分的に縮径させている。
【００１３】
更に図示例では図１、図２及び図５に示す如く、このカシメパイプ２の基端側を、ホース先端部Ｈ１の外周面、切断面及び内周面に沿うように断面コの字形に折り曲げ加工すると共に、その内周端に形成される断面多角形（断面正１２角形）の廻り止め手段２ａを上記ニップル１の外周面に沿って軸線方向へ最長でも該カシメパイプ２の軸線方向中間位置程度まで延長した二重筒状に成形することにより、これら筒状の廻り止め手段２ａとニップル１の外周面との接触面積を拡大させて、両者の嵌挿時におけるガタ付きを防止しながら、後述する工具係合手段４からの回転力がニップル１の外周面へ確実に伝わるようにしている。
【００１４】
なお、カシメパイプ２の形状は図示したものに限定されず、図示せぬが例えば上述した筒状の廻り止め手段２ａの軸線方向長さを短くしたり、或いはこの筒状の廻り止め手段２ａに代えて図５の二点鎖線に示す如く、ホース先端部Ｈ１の外周面及び切断面を覆う断面Ｌ字形に折り曲げ加工すると共に、ニップル１の外周面と対向する内周端を断面正１２角形に開設して廻り止め手段２ａ′が形成されるようにしても良い。
【００１５】
そして、前記ニップル１の外周面には、回転によって他の機器Ａに接続される締結手段３を回転不能に取り付けるか又は一体形成し、前記カシメパイプ２の外周面には、工具と係合する工具係合手段４を形成する。
【００１６】
本実施例の場合には、この締結手段３がニップル１と別個に形成した消火器の吐出口と螺合するネジ部３であり、このネジ部３を上記ニップル１の先端１ｃ側から外周面沿いに軸線方向へ嵌挿して廻り止め手段１ａと回転不能に係合させると共に、前記ニップル１の基端に突設された係止部１ｂとカシメパイプ２の基端面とで軸線方向へ挟み込むことにより移動不能に固定している。
【００１７】
即ち、上記ネジ部３は、図１、図３及び図５に示す如く、例えばアルミニウムなどの金属や硬質合成樹脂などの剛性材料で円筒状に形成され、その外周面には消火器の吐出口の内周面に刻設された内ネジＡ１と螺合する外ネジ３ａを刻設すると共に内周面には、上記ニップル１の廻り止め手段１ａと同形状（正１２角形）の廻り止め部３ｂを開設している。
なお、消火器の吐出口のネジ仕様が異なる場合には、それらに螺合する外ネジ３ａが刻設された複数のネジ部３を予め製造する必要がある。
【００１８】
また、上記工具係合手段４は、カシメパイプ２の外周面に一体形成した例えばスパナーなどの工具と係合するナット部であり、図示例の場合には図１〜図５に示す如く、カシメパイプ２の外周面が断面正８角形に成形されて、その基端側をナット部４とすると共に先端側２ｃを駆動式のカシメ機（図示せず）により八方締めした場合を示しているが、これに限定されず、カシメパイプ２の外周面を断面正六角形や断面正四角形に成形したり、異なる構造のカシメ機によって他の形状にカシメても良い。
【００１９】
また更に、前記カシメパイプ２の外周面の基端側には透視用の窓孔２ｄを開穿し、この窓孔２ｄを透してホースＨの先端部分がカシメ位置まで挿入されたことを目視で確認してからカシメ作業を開始することにより、ホースＨの先端部分がカシメ位置まで正確に挿入されずにカシメ不良となったホースの抜け易い不良品の発生を防止できるようにすることが好ましい。
【００２０】
一方、前記ホースＨは、消火器に接続する場合、図示したような内層Ｈａと外層Ｈｂとの間に補強層Ｈｃとしてブレード（補強糸）を螺旋状に巻き付け一体化した積層ホース（ブレードホース）を使用することが好ましいが、それに以外に外層と内層との間に例えばガラス繊維や難燃性繊維などの糸状補強材を編組したり、螺旋状に巻き付けて一体化した従来周知の軟質ホースか、或いは単層構造のものでも良い。
【００２１】
次に、斯かるホースかしめ接続構造の接続方法及び分別方法を工程順に従って説明する。
ホースＨとニップル１とカシメパイプ２が一体化されたホースセット品Ｂを製造するには、先ず図１に示す如く、ニップル１の先端１ｃ側から廻り止め手段１ａに沿って、締結手段３であるネジ部３の廻り止め部３ｂと、カシメパイプ２の廻り止め手段２ａを順次嵌挿した後に、これらカシメパイプ２とニップル１の外周面との間に区画形成される環状空間部２ｂにホース先端部Ｈ１を挿入するか、或いはカシメパイプ２に沿ってホース先端部Ｈ１を嵌入させてから、これをニップル１の廻り止め手段１ａに沿って嵌挿する。
【００２２】
この嵌挿状態で、カシメパイプ２の外周面の先端側２ｃをカシメ機でカシメて部分的に縮径させる。
それにより、ホース先端部Ｈ１が肉厚方向へ大きく圧縮されて、その内周面がニップル１の外周面に密着する。
【００２３】
その結果、このホース先端部Ｈ１が移動不能に封じ込められると共に、これらホース先端部Ｈ１の内周面とニップル１の外周面との間に発生する摩擦抵抗によりカシメパイプ２が抜け止めされると共に、該カシメパイプ２の基端面とニップル１の基端の係止部１ｂとにより締結手段３のネジ部３が軸線方向へ移動不能に挟み込まれて、これらが一体化される。
【００２４】
このように製造されたホースセット品Ｂを他の機器Ａとして消火器の吐出口に接続する際には、そのネジ部３を消火器の吐出口に差し込み、スパナーなどの工具でナット部４を締め込むと、回転不能に係合したニップル１の廻り止め手段１ａとカシメパイプ２の廻り止め手段２ａ及びネジ部３の廻り止め部３ｂを介してネジ部３が回転し、それにより消火器の吐出口に連結固定される。
【００２５】
そして、ホースセット品Ｂを分別するのに際しては、図６（ａ）に示すような固定治具Ｃ１とスライド自在な抜き治具Ｃ２とからなる専用分別機Ｃを使用した場合について説明する。
先ず、固定治具Ｃ１にネジ部３を螺着して、抜き治具Ｃ２がカシメパイプ２と係合するようにホースセット品Ｂをセットする。
【００２６】
その後、図６（ｂ）に示す如く、このセット状態で抜き治具Ｃ２を強制的にスライドして、ネジ部３により移動不能なニップル１の廻り止め手段１ａに対し、カシメパイプ２の廻り止め手段２ａを軸線方向へ移動させる。
それにより、カシメ接合したカシメパイプ２及びホース先端部Ｈ１がニップル１の外周面から抜き取られる。
【００２７】
この状態に至れば、カシメパイプ２のカシメ部分２ｃによる圧縮からホース先端部Ｈ１が解放されるので、図６（ｃ）に示す如く、カシメパイプ２とホースＨが簡単に分離できる。
その結果、分別作業を容易にすることができる。
【００２８】
更に本実施例の場合には、ニップル１とネジ部３を別個に形成したので、カシメ接合したカシメパイプ２及びホースＨをニップル１から抜き取れば、ニップル１の外周面からネジ部３が抜き取り可能となって、変形したナット部４及びカシメパイプ２と機能低下したホースＨは再使用不能だが、変形したり機能低下のないニップル１とネジ部３は再使用可能となる。
その結果、再利用可能な部品点数を多くすることができ、しかもネジ部３が破損した場合には部品交換が可能であるという利点がある。
【００２９】
尚、前示実施例では、他の機器Ａとして消火器の吐出口にニップル１とカシメパイプ２とホースＨとを一体化したホースセット品Ｂが接続される場合を示したが、これに限定されず、他の機器Ａとして消火器以外に、管継手を介してホースＨが接続される一般の設備機械などの用途にも上記ホースセット品Ｂを接続しても良いし、更に締結手段３としてネジ部３以外の継手構造を形成したり、工具係合手段４としてナット部以外の構造のものを形成しても良い。
【００３０】
また、ニップル１と締結手段３を別個に形成したが、これに限定されず、ニップル１の外周面に締結手段３を一体形成しても良く、また更にホースセット品Ｂを分別するのに際して専用分別機Ｃを使用したが、これに限定されず、それ以外の方法で分別しても良い。
【００３１】
【発明の効果】
以上説明したように、本発明のうち請求項１記載の発明は、他の機器Ａへの接続時には、カシメパイプ２の工具係合手段４を回転操作することにより、廻り止め手段１ａ，２ａを介してニップル１が回転され、これに伴い締結手段３が回転して他の機器Ａに連結固定され、分別時には、ニップル１とカシメパイプ２のどちらか一方を他方に対して軸線方向へ移動させることにより、カシメ接合したカシメパイプ２及びホースＨの内側からニップル１が抜き取られ、更にこれらカシメパイプ２及びホースＨが分離可能となるので、分別作業を容易にすることができる。
従って、カシメ接合したホースからニップルを引き抜こうとしても竹の子状の挿入部がホースの内周面に引っ掛かって引き抜き難い従来のものに比べ、分別時の作業コストを低減できる。
【００３２】
請求項２の発明は、請求項１の発明の効果に加えて、カシメ接合したカシメパイプ２及びホースＨの内側からニップル１を抜き取ることにより、ニップル１の廻り止め手段１ａからネジ部３が抜き取り可能となって、変形したナット部４及びカシメパイプ２と機能低下したホースＨは再使用不能だが、変形したり機能低下のないニップル１とネジ部３は再使用可能となるので、再利用可能な部品点数を多くすることができる。
従って、廃棄部品を減らして部品交換によるコストを低減しながら環境保護が図れる。
更に竹の子状の挿入部と外ネジ部及びナット部が一体形成された切削加工品であるニップルとカシメパイプを使用する従来のものに比べ、カシメパイプにナット部を一体形成すると共に断面多角形筒状のニップルとネジ部を別々に形成する方が製造コストを低減でき、しかもネジ部のみを分離させることにより、複数のネジ仕様に対してネジ部を交換するだけで対応でき、例えばメーカー毎にネジ仕様が相違しても、他の部品は共通部品化できるため、複数種類の異なるネジ仕様に螺合する専用の外ネジ部を刻設したニップルを個別に製造して夫々在庫管理する必要があるものに比べコスト安となり、その結果、これらが相俟ってホースかしめ接続構造の機能を低下させることなく全体の価格を大幅に低減できる。
【図面の簡単な説明】
【図１】本発明の一実施例を示すホースかしめ接続構造の一部切欠正面図である。
【図２】図１の（２）−（２）線に沿える拡大縦断側面図である。
【図３】図１の（３）−（３）線に沿える拡大縦断側面図である。
【図４】図１の（４）−（４）線に沿える拡大縦断側面図である。
【図５】分解状態を拡大して示す一部切欠正面図である。
【図６】（ａ）〜（ｃ）は分別工程を示す縦断正面図である。
【図７】従来のホースかしめ接続構造の一例を示す一部切欠正面図である。
【符号の説明】
Ａ　他の機器　　　　　　　　　　　Ｈ　ホース
１　ニップル　　　　　　　　　　　１ａ　廻り止め手段
２　カシメパイプ　　　　　　　　　２ａ　廻り止め手段
３　締結手段（ネジ部）　　　　　　４　工具係合手段（ナット部）
【図１】
2004019863.tif 000003
【図２】
2004019863.tif 000004
【図３】
2004019863.tif 000005
【図４】
2004019863.tif 000006
【図５】
2004019863.tif 000007
【図６】
2004019863.tif 000008
【図７】
2004019863.tif 000009